【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
画素の各々が前記撮像装置の撮像光学系において通過した瞳領域及び入射方向の組み合わせが異なる光束に対応する撮像手段から出力される画像信号を取得する取得手段と、
前記取得手段により取得された前記画像信号から生成される、ある焦点面に合焦する再構成画像について、当該合焦する焦点面を設定する設定手段と、
前記設定手段により設定された焦点面に合焦した前記再構成画像を、該焦点面における各画素に対応する前記画像信号の画素値を合成することにより生成する生成手段と、
複数の異なる焦点面をそれぞれ合焦面とする複数の前記再構成画像をフレームとして含む動画像を生成して出力する出力手段と、を有する
ことを特徴とする画像処理装置。
【請求項２】
前記出力手段は、前記複数の異なる焦点面について生成された前記複数の再構成画像を、焦点面に対応する被写体の前記撮像装置からの距離の順に含む前記動画像を生成することを特徴とする請求項１に記載の画像処理装置。
【請求項３】
前記複数の異なる焦点面について生成された前記複数の再構成画像を連結する順番を、前記距離が短い順とするか、前記距離が長い順とするかを選択する選択手段をさらに有することを特徴とする請求項２に記載の画像処理装置。
【請求項４】
前記生成手段により生成された前記再構成画像について、特定の被写体を検出する検出手段をさらに有し、
前記出力手段は、前記複数の異なる焦点面についてそれぞれ生成された前記複数の再構成画像のうち、前記検出手段により前記特定の被写体が検出された再構成画像については、該画像を複数フレーム連続させて前記動画像を生成する
ことを特徴とする請求項１乃至３のいずれか１項に記載の画像処理装置。
【請求項５】
前記出力手段は、前記動画像を前記画像信号に関連付けて出力することを特徴とする請求項１乃至４のいずれか１項に記載の画像処理装置。
【請求項６】
前記出力手段は、前記動画像を予め定められた符号化方式で符号化して出力することを特徴とする請求項１乃至５のいずれか１項に記載の画像処理装置。
【請求項７】
前記出力手段は、前記動画像を規格に従って符号化して出力することを特徴とする請求項１乃至５のいずれか１項に記載の画像処理装置。
【請求項８】
前記規格は、ＭＰＥＧ規格であることを特徴とする請求項７に記載の画像処理装置。
【請求項９】
前記規格は、ＨＥＶＣ規格であることを特徴とする請求項７に記載の画像処理装置。
【請求項１０】
前記規格は、Ｈ．２６５規格であることを特徴とする請求項７に記載の画像処理装置。
【請求項１１】
前記動画像をファイル形式で記録媒体に記録する記録手段をさらに有することを特徴とする請求項１乃至１０のいずれか１項に記載の画像処理装置。
【請求項１２】
前記設定手段は、ユーザ操作に応じて前記焦点面を設定することを特徴とする請求項１乃至１１のいずれか１項に記載の画像処理装置。
【請求項１３】
前記出力手段は、各フレームの再構成画像が前記設定手段により設定可能な範囲のうちの一部の範囲内の焦点面に関連付けられた前記動画像を生成することを特徴とする請求項１乃至１２のいずれか１項に記載の画像処理装置。
【請求項１４】
前記動画像の各フレームが、前記設定手段の設定可能な範囲のうちの一部の範囲内の焦点面に関連付けられていることを特徴とする請求項１乃至１３のいずれか１項に記載の画像処理装置。
【請求項１５】
前記出力手段は、同一の焦点面に係る再構成画像を連続するフレームとして含めることにより前記動画像を生成することを特徴とする請求項１乃至１４のいずれか１項に記載の画像処理装置。
【請求項１６】
前記動画像が、フレームの再構成画像が同一の焦点面に関連付けられた連続するフレームを有することを特徴とする請求項１乃至１５のいずれか１項に記載の画像処理装置。
【請求項１７】
表示媒体を用いて、前記画像信号に対応する表示として、前記動画像を再生する表示手段をさらに有することを特徴とする請求項１乃至１６のいずれか１項に記載の画像処理装置。
【請求項１８】
表示媒体を用いて、前記撮像装置により撮像された他の画像信号に対応する表示と共に、前記撮像装置により撮像された画像信号から生成された前記動画像を再生する表示手段をさらに有することを特徴とする請求項１乃至１６のいずれか１項に記載の画像処理装置。
【請求項１９】
前記画像信号は、前記撮像装置による１回の撮像により得られた信号であることを特徴とする請求項１乃至１８のいずれか１項に記載の画像処理装置。
【請求項２０】
前記画像信号は、ライトフィールドデータに対応していることを特徴とする請求項１乃至１９のいずれか１項に記載の画像処理装置。
【請求項２１】
画素の各々が前記撮像装置の撮像光学系において通過した瞳領域及び入射方向の組み合わせが異なる光束に対応する撮像手段から出力されるデジタル信号を取得する取得手段と、
前記取得手段により取得された前記画像信号から生成される、ある焦点面に合焦する画像について、当該合焦する焦点面を設定する設定手段と、
前記設定手段により設定された焦点面に合焦した前記画像を、該焦点面における各画素に対応する前記デジタル信号の画素値を合成することにより生成する生成手段と、
複数の異なる焦点面をそれぞれ合焦面とする複数の前記画像をフレームとして含む動画像を生成して出力する出力手段と、を有する
ことを特徴とする画像処理装置。
【請求項２２】
画素の各々が撮像光学系において通過した瞳領域及び入射方向の組み合わせが異なる光束を受光することで、画像信号を出力する撮像手段と、
前記撮像手段により出力された前記画像信号から生成される、ある焦点面に合焦する再構成画像について、当該合焦する焦点面を設定する設定手段と、
前記設定手段により設定された焦点面に合焦した前記再構成画像を、該焦点面における各画素に対応する前記画像信号の画素値を合成することにより生成する生成手段と、
複数の異なる焦点面をそれぞれ合焦面とする複数の前記再構成画像をフレームとして含む動画像を生成し、前記画像信号に関連付けて記録する記録手段と、を有する
ことを特徴とする撮像装置。
【請求項２３】
画素の各々が撮像光学系において通過した瞳領域及び入射方向の組み合わせが異なる光束を受光することで、デジタル信号を出力する撮像手段と、
前記撮像手段により出力された前記デジタル信号から生成される、ある焦点面に合焦する画像について、当該合焦する焦点面を設定する設定手段と、
前記設定手段により設定された焦点面に合焦した前記画像を、該焦点面における各画素に対応する前記デジタル信号の画素値を合成することにより生成する生成手段と、
複数の異なる焦点面をそれぞれ合焦面とする複数の前記画像をフレームとして含む動画像を生成し、前記デジタル信号に関連付けて記録する記録手段と、を有する
ことを特徴とする撮像装置。
【請求項２４】
画像処理装置の取得手段が、画素の各々が前記撮像装置の撮像光学系において通過した瞳領域及び入射方向の組み合わせが異なる光束に対応する撮像手段から出力される画像信号を取得する取得工程と、
前記画像処理装置の設定手段が、前記取得工程において取得された前記画像信号から生成される、ある焦点面に合焦する再構成画像について、当該合焦する焦点面を設定する設定工程と、
前記画像処理装置の生成手段が、前記設定工程において設定された焦点面に合焦した前記再構成画像を、該焦点面における各画素に対応する前記画像信号の画素値を合成することにより生成する生成工程と、
前記画像処理装置の出力手段が、複数の異なる焦点面をそれぞれ合焦面とする複数の前記再構成画像をフレームとして含む動画像を生成し、前記画像信号に関連付けて出力する出力工程と、を有する
ことを特徴とする画像処理装置の制御方法。
【請求項２５】
画像処理装置の取得手段が、画素の各々が前記撮像装置の撮像光学系において通過した瞳領域及び入射方向の組み合わせが異なる光束に対応する撮像手段から出力されるデジタル信号を取得する取得工程と、
前記画像処理装置の設定手段が、前記取得工程において取得された前記画像信号から生成される、ある焦点面に合焦する画像について、当該合焦する焦点面を設定する設定工程と、
前記画像処理装置の生成手段が、前記設定工程において設定された焦点面に合焦した前記画像を、該焦点面における各画素に対応する前記デジタル信号の画素値を合成することにより生成する生成工程と、
前記画像処理装置の出力手段が、複数の異なる焦点面をそれぞれ合焦面とする複数の前記画像をフレームとして含む動画像を生成して出力する出力工程と、を有する
ことを特徴とする画像処理装置の制御方法。
【請求項２６】
撮像装置の撮像手段が、画素の各々が撮像光学系において通過した瞳領域及び入射方向の組み合わせが異なる光束を受光することで、画像信号を出力する撮像工程と、
前記撮像装置の設定手段が、前記撮像工程において出力された前記画像信号から生成される、ある焦点面に合焦する再構成画像について、当該合焦する焦点面を設定する設定工程と、
前記撮像装置の生成手段が、前記設定工程において設定された焦点面に合焦した前記再構成画像を、該焦点面における各画素に対応する前記画像信号の画素値を合成することにより生成する生成工程と、
前記撮像装置の記録手段が、複数の異なる焦点面をそれぞれ合焦面とする複数の前記再構成画像をフレームとして含む動画像を生成し、前記画像信号に関連付けて記録する記録工程と、を有する
ことを特徴とする撮像装置の制御方法。
【請求項２７】
撮像装置の撮像手段が、画素の各々が撮像光学系において通過した瞳領域及び入射方向の組み合わせが異なる光束を受光することで、デジタル信号を出力する撮像工程と、
前記撮像装置の設定手段が、前記撮像工程において出力された前記デジタル信号から生成される、ある焦点面に合焦する画像について、当該合焦する焦点面を設定する設定工程と、
前記撮像装置の生成手段が、前記設定工程において設定された焦点面に合焦した前記画像を、該焦点面における各画素に対応する前記デジタル信号の画素値を合成することにより生成する生成工程と、
前記撮像装置の記録手段が、複数の異なる焦点面をそれぞれ合焦面とする複数の前記画像をフレームとして含む動画像を生成し、前記デジタル信号に関連付けて記録する記録工程と、を有する
ことを特徴とする撮像装置の制御方法。
【請求項２８】
コンピュータを、請求項１乃至２１のいずれか１項に記載の画像処理装置の各手段として機能させるためのプログラム。
【請求項２９】
コンピュータに、請求項２６または２７に記載の撮像装置の制御方法の各工程を実行させるためのプログラム。
【手続補正２】
【補正対象書類名】明細書
【補正対象項目名】０００１
【補正方法】変更
【補正の内容】
【０００１】
本発明は、画像処理装置、撮像装置、制御方法、及びプログラムに関し、特に撮影後に画像信号から任意の焦点面に合焦した画像を生成する技術に関する。
【手続補正３】
【補正対象書類名】明細書
【補正対象項目名】０００２
【補正方法】変更
【補正の内容】
【０００２】
近年、デジタルカメラ等の撮像装置において、撮影時に光の強度分布との進行方向とを出力データとして記録することで、記録後に該出力データから任意の焦点面に合焦した画像を生成する技術が提案されている。
【手続補正４】
【補正対象書類名】明細書
【補正対象項目名】０００３
【補正方法】変更
【補正の内容】
【０００３】
非特許文献１では、マイクロレンズアレイを介して撮像素子の各画素（光電変換素子）に撮像レンズの異なる瞳領域を通過した光束を結像させることにより、様々な方向から入射した光を分離して記録する方法（Light Field Photography）が開示されている。このようにして得られたＬＦデータ（Light Field Data）は、隣り合う画素が異なる方向から入射した光束を記録しており、各マイクロレンズに対応付けられた画素から、同一の方向の光束を抽出することで、該方向から撮影した画像を生成することができる。また、任意の被写体距離を設定し、該被写体距離の焦点面における１点を通過した光束を記録している画素の出力を加算することで、撮影後に特定の焦点面に合焦した画像のピクセルを擬似的に生成（再構成）することができる。
【手続補正５】
【補正対象書類名】明細書
【補正対象項目名】０００５
【補正方法】変更
【補正の内容】
【０００５】
非特許文献１の方法を用いて記録されたＬＦデータは、上述したように焦点面を設定した上で該焦点面に合焦した再構成画像を生成するまでは、被写体の内容を把握できる状態で閲覧することができない。このため、例えば各ＬＦデータについて、１つの焦点面に合焦するように生成されたサムネイル画像を表示することで、ユーザに所望のシーンを撮影したＬＦデータを選択させることが想定される。
【手続補正６】
【補正対象書類名】明細書
【補正対象項目名】０００６
【補正方法】変更
【補正の内容】
【０００６】
しかしながら、このようなＬＦデータから生成した、１つの焦点面に合焦したサムネイル画像では、該焦点面とは異なる焦点面で合焦する被写体の像がぼやけるため、ユーザは被写体を認識できない。即ち、ユーザは所望の被写体が含まれるシーンを撮影したＬＦデータを特定することができなかった。
【手続補正７】
【補正対象書類名】明細書
【補正対象項目名】０００８
【補正方法】変更
【補正の内容】
【０００８】
前述の目的を達成するために、本発明の画像処理装置は、以下の構成を備える。
画素の各々が撮像装置の撮像光学系において通過した瞳領域及び入射方向の組み合わせが異なる光束に対応する撮像手段から出力される画像信号を取得する取得手段と、取得手段により取得された画像信号から生成される、ある焦点面に合焦する再構成画像について、当該合焦する焦点面を設定する設定手段と、設定手段により設定された焦点面に合焦した再構成画像を、該焦点面における各画素に対応する画像信号の画素値を合成することにより生成する生成手段と、複数の異なる焦点面をそれぞれ合焦面とする複数の再構成画像をフレームとして含む動画像を生成して出力する出力手段と、を有することを特徴とする。
【手続補正８】
【補正対象書類名】明細書
【補正対象項目名】００１１
【補正方法】変更
【補正の内容】
【００１１】
［実施形態］
以下、本発明の例示的な実施形態について、図面を参照して詳細に説明する。なお、以下に説明する一実施形態は、画像処理装置の一例としての、撮影後に焦点面を変更した再構成画像を生成可能なＬＦデータを記録するデジタルカメラに、本発明を適用した例を説明する。しかし、本発明は、撮影後に任意の焦点面に合焦した再構成画像を生成可能なＬＦデータを生成すること、あるいは該ＬＦデータから任意の焦点面に合焦した再構成画像を生成することが可能な任意の機器に適用可能である。
【手続補正９】
【補正対象書類名】明細書
【補正対象項目名】００１２
【補正方法】変更
【補正の内容】
【００１２】
また、本明細書において「ＬＦデータ」とは、後述するように各マイクロレンズに対して撮像素子の複数の光電変換素子が割り当てられているマイクロレンズアレイを用いた撮影により得られた画像データを示す。１つのマイクロレンズに対して割り当てられた複数の光電変換素子の各々は、撮像光学系の射出瞳の異なる領域を通過した光束を受光する。即ち、ＬＦデータにおいて、１つのマイクロレンズに対して割り当てられた光電変換素子の出力に対応する画素は、隣り合う画素で像が連続しないことになる。このため本実施形態のＬＦデータは、撮影後に所定の焦点面に合焦した画像を生成する処理が実行されることで、隣り合う画素で像が連続する画像に変換される。本明細書では、このように撮影後に焦点面を決定し、ＬＦデータから該焦点面に合焦した画像を生成することを「リフォーカス」あるいは「再構成」と表現するものとする。
【手続補正１０】
【補正対象書類名】明細書
【補正対象項目名】００２４
【補正方法】変更
【補正の内容】
【００２４】
画像処理部１１０は、ＤＦＥ１０９による補正処理が適用されたＬＦデータに対して、色変換、ホワイトバランス調整、γ補正処理等の各種画像処理を適用する。各種画像処理は、例えばデジタルカメラ１００に設定されている撮影モードに応じて異なるものであってもよい。また本実施形態では画像処理部１１０は、ＬＦデータから任意の焦点面に合焦する再構成画像（リフォーカス画像）の生成する処理も行う。任意の焦点面に合焦する画像の生成は、例えば上述した非特許文献１に示されるような「Light Field Photography」の手法を用いればよい。
【手続補正１１】
【補正対象書類名】明細書
【補正対象項目名】００２５
【補正方法】変更
【補正の内容】
【００２５】
表示部１１１は、例えば小型ＬＣＤ等のデジタルカメラ１００が有する表示装置である。表示部１１１は、画像処理部１１０により生成された、任意の焦点面に合焦した画像を表示する。上述したように、本実施形態の撮像部１０６から出力されるアナログ画像信号をＡ／Ｄ変換して得られるＬＦデータは、隣り合う画素において像が連結しない。このため表示部１１１には、該ＬＦデータではなく画像処理部１１０により生成された再構成画像が表示される。
【手続補正１２】
【補正対象書類名】明細書
【補正対象項目名】００３１
【補正方法】変更
【補正の内容】
【００３１】
Ｓ５０３で、制御部１０１は、リフォーカス画像を生成する目標被写体距離を、最も短い被写体距離、即ち最も近景の被写体に対応する被写体距離に設定する。
【手続補正１３】
【補正対象書類名】明細書
【補正対象項目名】００３２
【補正方法】変更
【補正の内容】
【００３２】
Ｓ５０４で、制御部１０１は、設定された目標被写体距離に合焦するリフォーカス画像を画像処理部１１０に生成させる。即ち、画像処理部１１０は、撮像光学系１０４の撮像レンズとマイクロレンズアレイ１０５との間の、設定された目標被写体距離に応じて決定されるリフォーカス面（焦点面）において形成される画像を擬似的に生成（再構成）する。
【手続補正１４】
【補正対象書類名】明細書
【補正対象項目名】００３９
【補正方法】変更
【補正の内容】
【００３９】
このように全ての画素について上記積分式を行うことで、画像処理部１１０は目標被写体距離に合焦する静止画像を生成できる。制御部１０１は、生成された静止画像をＲＡＭ１０３に格納する。
【手続補正１５】
【補正対象書類名】明細書
【補正対象項目名】００４０
【補正方法】変更
【補正の内容】
【００４０】
Ｓ５０５で、制御部１０１は、設定されている目標被写体距離が、リフォーカス範囲のうちの最も長い被写体距離、即ち最も遠景の被写体に対応する被写体距離であるか否かを判断する。制御部１０１は、目標被写体距離がリフォーカス範囲のうちの最も長い被写体距離であると判断した場合は処理をＳ５０７に移し、最も長い被写体距離ではないと判断した場合は処理をＳ５０６に移す。
【手続補正１６】
【補正対象書類名】明細書
【補正対象項目名】００４１
【補正方法】変更
【補正の内容】
【００４１】
Ｓ５０６で、制御部１０１は、リフォーカス画像を生成する目標被写体距離を、現在設定されている被写体距離よりも長い被写体距離に設定し、処理をＳ５０４に戻す。なお、新たに設定される目標被写体距離は、現在設定されている被写体距離に予め定められた距離を加算した被写体距離であってよい。
【手続補正１７】
【補正対象書類名】明細書
【補正対象項目名】００４２
【補正方法】変更
【補正の内容】
【００４２】
Ｓ５０７で、制御部１０１は、異なる複数の焦点面に対して生成された複数のリフォーカス画像を連結した、ＬＦデータに対応する動画像を画像処理部１１０に生成させる。本実施形態では画像処理部１１０は、図８に示されるように、リフォーカス範囲に含まれる焦点面を順に設定しながら生成したＮ枚のリフォーカス画像を、合焦する被写体距離の短い順に連結した、Ｎフレームの動画像を生成する。即ち、生成される動画像は、取得したＬＦデータについて設定可能な焦点面の範囲に含まれる、全ての被写体に対して順に合焦するフレームで構成されている。
【手続補正１８】
【補正対象書類名】明細書
【補正対象項目名】００５３
【補正方法】変更
【補正の内容】
【００５３】
以上説明したように、本実施形態の画像処理装置は、ＬＦデータを記録したシーンに含まれる被写体を特定可能な情報表示を行うことができる。具体的には画像処理装置は、撮像装置により撮影された画像信号であって、画素の各々が前記撮像装置の撮像光学系において通過した瞳領域及び入射方向の組み合わせが異なる光束に対応する画像信号を取得する。画像処理装置は、合焦する被写体に対応する焦点面を設定し、設定された焦点面の被写体に合焦した再構成画像を画像信号生成する。そして画像処理装置は、複数の異なる焦点面について生成された複数の再構成画像を連結させて動画像を生成し、画像信号に関連付けて出力する。このため、ユーザはＬＦデータについて焦点面を変更しながら再構成画像を生成することなく、所望の被写体が含まれるＬＦデータを容易に特定できる。
【手続補正１９】
【補正対象書類名】明細書
【補正対象項目名】００５４
【補正方法】変更
【補正の内容】
【００５４】
［変形例］
上述した実施形態では、ＬＦデータについて、合焦する焦点面が設定可能な焦点面の範囲内で連続的に切り替わる動画像を生成するものとして説明したが、本発明の実施はこれに限られるものではない。本変形例では、ＬＦデータについて、該出力データを記録したシーンに含まれる特定の被写体を、ユーザに対して認識しやすくした動画像を生成する方法について以下に説明する。
【手続補正２０】
【補正対象書類名】明細書
【補正対象項目名】００５８
【補正方法】変更
【補正の内容】
【００５８】
Ｓ５０４において目標被写体距離に合焦するリフォーカス画像が生成されると、制御部１０１はＳ１１０１で、生成されたリフォーカス画像について顔検出部１１４に人物の顔を検出する顔検出処理を実行させ、人物の顔が含まれているか否かを判断する。制御部１０１は、リフォーカス画像に人物の顔が含まれていると判断した場合は処理をＳ１１０２に移し、含まれていないと判断した場合は処理をＳ５０５に移す。
【手続補正２１】
【補正対象書類名】明細書
【補正対象項目名】００５９
【補正方法】変更
【補正の内容】
【００５９】
Ｓ１１０２で、制御部１０１は、生成されたリフォーカス画像の識別情報（例えば最近景から何番目に設定された被写体距離であるかを示す情報等）を、ＲＡＭ１０３に記憶されている人物の顔が検出されたリフォーカス画像のリストに追加する。なお、本変形例では人物の顔が検出されたリフォーカス画像のリストに識別情報を追加することで、顔検出結果を保持するものとして説明するが、人物の顔が検出されたか否かの情報を格納する方法はこれに限られるものではない。即ち、リフォーカス画像について人物の顔が検出されたか否かの情報は、例えばリフォーカス画像に顔が検出されたことを示す情報を関連付けられてもよいことは容易に想像されよう。
【手続補正２２】
【補正対象書類名】明細書
【補正対象項目名】００６０
【補正方法】変更
【補正の内容】
【００６０】
このように目標被写体距離を順に選択してリフォーカス範囲の全体についてのリフォーカス画像の生成が完了した後、制御部１０１は処理をＳ１１０３に移す。
【手続補正２３】
【補正対象書類名】明細書
【補正対象項目名】００６１
【補正方法】変更
【補正の内容】
【００６１】
Ｓ１１０３で、制御部１０１は、異なる複数の焦点面に対して生成された複数のリフォーカス画像を連結した、ＬＦデータに対応する動画像を画像処理部１１０に生成させる。このとき画像処理部１１０は、ＲＡＭ１０３に記憶されている人物の顔が検出されたリフォーカス画像のリストを参照し、顔が検出されたリフォーカス画像については該画像を複数フレーム連続させて動画像を生成するものとする。即ち、例えば図１２に示すように、画像処理部１１０は６０ＦＰＳの再生フレームレートの動画像を生成する際に、顔が検出されたリフォーカス画像については、該画像を４フレーム連続させる。つまり、このようにして生成された動画像は、特定の被写体である人物の顔が含まれる焦点位置のリフォーカス画像については再生フレームレートが１５ＦＰＳであるように見せることができる。
【手続補正２４】
【補正対象書類名】明細書
【補正対象項目名】００６３
【補正方法】変更
【補正の内容】
【００６３】
なお、上述した実施形態及び変形例では、ＬＦデータに対して生成する動画像は、合焦する被写体距離の短い順に遷移する動画像であるものとして説明したが、これに限られるものではない。動画像は、例えば合焦する被写体距離の長い順に遷移するものであってもよい。また動画像は、例えば人物が検出された範囲のみ等、設定可能な焦点面の範囲の一部の範囲についてのみ、合焦する被写体が被写体距離に応じて遷移するものであってもよい。このような場合、動画像を生成する焦点面の範囲や、焦点面を遷移する順番は、ユーザにより設定可能であってもよい。
【手続補正２５】
【補正対象書類名】明細書
【補正対象項目名】００７１
【補正方法】変更
【補正の内容】
【００７１】
また、ＬＦデータから任意の焦点面の画像を取得する方法としては、例えば特開２０１１−２２７９６号公報に開示されているような方法も適用できる。すなわち、複数のカメラを２次元平面上に格子状に配置したいわゆる多眼カメラによって、少なくとも２つの異なる視点から撮像した画像を取得し、それら複数の画像を処理して任意の焦点面の画像を取得する。
【手続補正２６】
【補正対象書類名】図面
【補正対象項目名】図５
【補正方法】変更
【補正の内容】
【図５】
2013201752.tif 000001
【手続補正２７】
【補正対象書類名】図面
【補正対象項目名】図１１
【補正方法】変更
【補正の内容】
【図１１】
2013201752.tif 000002